(57)【特許請求の範囲】
【請求項１】
画像コンテンツの輝度パラメータに応じて高圧放電ランプに供給する電力を変化させる高圧放電ランプの点灯方法において、
前記高圧放電ランプへの冷却熱量を減少させることで、供給する電力が最も低くなったときでも、前記高圧放電ランプの発光管部内の温度が水銀の析出温度よりも高くなるようにすること、および
前記高圧放電ランプに供給する電力が増加する際、
供給する電力の変化が始まってから所定の時間が経過するまでは、前記高圧放電ランプの冷却熱量を直前の状態のままで維持することを特徴とする高圧放電ランプの点灯方法。
【請求項２】
画像コンテンツの輝度パラメータに応じて高圧放電ランプに供給する電力を変化させる高圧放電ランプの点灯方法において、
冷却熱量が供給される前記高圧放電ランプにおいてヒータによる前記高圧放電ランプへの加熱量を増加することで、供給する電力が最も低くなったときでも、前記高圧放電ランプの発光管部内の温度が水銀の析出温度よりも高くなるようにすること、および
前記高圧放電ランプに供給する電力が増加する際、および、供給する電力が減少する際の少なくともいずれか一方において、
供給する電力の変化が始まってから所定の時間が経過するまでは、前記ヒータによる前記高圧放電ランプへの加熱量を直前の状態のままで維持することを特徴とする高圧放電ランプの点灯方法。
【請求項３】
一定の電力を前記高圧放電ランプに供給している状態において、前記高圧放電ランプに与えられる電圧値が予め設定した値よりも高い場合は冷却熱量を増加させ、電圧値が予め設定した値よりも低い場合は冷却熱量を減少させることを特徴とする請求項１に記載の高圧放電ランプの点灯方法。
【請求項４】
一定の電力を前記高圧放電ランプに供給している状態において、前記高圧放電ランプに与えられる電圧値が予め設定した値よりも高い場合は加熱量を減少させ、電圧値が予め設定した値よりも低い場合は加熱量を増加させることを特徴とする請求項２に記載の高圧放電ランプの点灯方法。
【発明の詳細な説明】
【技術分野】
【０００１】
本発明は、高圧放電ランプの発光管部内に水銀が析出するのを回避することにより、高圧放電ランプを安定して発光させる点灯方法に関する。
【背景技術】
【０００２】
高圧放電ランプは、１個のランプから得られる光量が非常に多いといった特性を有しており、プロジェクター等に広く用いられている。高圧放電ランプは、石英ガラス製の発光管部の内部空間に一対の電極が配設されているとともに、当該内部空間に水銀が封入されており、電極間に電圧を加えてアーク放電を生じさせることにより、蒸発した水銀が励起されて光を発するようになっている。
【先行技術文献】
【特許文献】
【０００３】
【特許文献１】特表２００８−５２７４０５号公報
【発明の概要】
【発明が解決しようとする課題】
【０００４】
特許文献１では、プロジェクターにおいて、高いコントラストを得る目的から、画像コンテンツの輝度パラメータに応じて供給電力を変更し、全動作時間の少なくとも一部で、高圧放電ランプの発光管部内で水銀が析出する「飽和動作方式」と、同発光管部内で全ての水銀が蒸発する「不飽和動作方式」とを、切り替えるようになっている。
【０００５】
しかしながら、特許文献１に開示された技術のように、発光管部内の全ての水銀が蒸発した状態（不飽和動作方式）と、発光管部内に水銀が析出した状態（飽和動作方式）とを切り替えて動作させることには問題があった。
【０００６】
すなわち、飽和動作方式で発光管部内に水銀が析出していくと高圧放電ランプの黒化の原因となり、アーク放電部分から放出される光を遮るとともに、発光管部の局所的な温度上昇をもたらして当該発光管部の破裂や損傷の原因になるおそれがあった。また、水銀の析出や蒸発によって発光管内の圧力に急激な変化が生じると、発光管内の対流が乱される。すると、電極が不所望な形状に変化してしまい、アーク放電の起点がずれて（＝アークジャンプ）チラツキの原因になるとともに、高圧放電ランプの寿命が短くなるおそれがあった。
【０００７】
また、不飽和動作方式から飽和動作方式に切り替えられて水銀が析出したとき、この水銀が発光管部内のどこに析出してくるかは不明であり、仮に、高圧放電ランプを適用したプロジェクターにおいて光学的に重要な光路上に水銀が析出した場合、投影した画像に水銀が写り込む事で著しい欠陥が生じるおそれがあった。
【０００８】
さらに言えば、析出した水銀が大きくなっていく過程で、アーク放電による微振動や重力によって析出した水銀が発光管部内のより低い位置に向かって動くことがあり、このような動きが生じることにより、投影する画像に乱れが生じるおそれもあった。
【０００９】
本発明は、このような従来技術の問題点に鑑みて開発されたものである。それゆえに本発明の主たる課題は、画像コンテンツの輝度パラメータに応じて高圧放電ランプに供給する電力を変化させる動作において、発光管部の内部空間における水銀の析出を回避することにより、アークジャンプの発生を回避するとともに、高圧放電ランプの長寿命化を図り、また、投影した画像に欠陥や乱れが生じることも回避できる高圧放電ランプの点灯方法を提供することにある。
【課題を解決するための手段】
【００１１】
請求項１に記載した発明は、画像コンテンツの輝度パラメータに応じて高圧放電ランプに供給する電力を変化させる高圧放電ランプの点灯方法において、
高圧放電ランプへの冷却熱量を減少させることで、供給する電力が最も低くなったときでも、高圧放電ランプの発光管部内の温度が水銀の析出温度よりも高くなるようにすること、および、
高圧放電ランプに供給する電力が増加する際、供給する電力の変化が始まってから所定の時間が経過するまでは、高圧放電ランプの冷却熱量を直前の状態のままで維持することを特徴とする高圧放電ランプの点灯方法である。
【００１２】
請求項２に記載した発明は、画像コンテンツの輝度パラメータに応じて高圧放電ランプに供給する電力を変化させる高圧放電ランプの点灯方法において、
冷却熱量が供給される高圧放電ランプにおいてヒータによる高圧放電ランプへの加熱量を増加することで、供給する電力が最も低くなったときでも、高圧放電ランプの発光管部内の温度が水銀の析出温度よりも高くなるようにすること、および、
高圧放電ランプに供給する電力が増加する際、および、供給する電力が減少する際の少なくともいずれか一方において、供給する電力の変化が始まってから所定の時間が経過するまでは、ヒータによる高圧放電ランプへの加熱量を直前の状態のままで維持することを特徴とする高圧放電ランプの点灯方法である。
【００１３】
請求項３に記載した発明は、請求項１の点灯方法をより具体的にしたものであり、一定の電力を高圧放電ランプに供給している状態において、高圧放電ランプに与えられる電圧値が予め設定した値よりも高い場合は冷却熱量を増加させ、電圧値が予め設定した値よりも低い場合は冷却熱量を減少させることを特徴とする高圧放電ランプの点灯方法である。
【００１４】
請求項４に記載した発明は、請求項２の点灯方法をより具体的にしたものであり、一定の電力を高圧放電ランプに供給している状態において、高圧放電ランプに与えられる電圧値が予め設定した値よりも高い場合は加熱量を減少させ、電圧値が予め設定した値よりも低い場合は加熱量を増加させることを特徴とする高圧放電ランプの点灯方法である。
【発明の効果】
【００１７】
本発明によれば、供給する電力が最も低くなったときにおける高圧放電ランプの発光管部の内部温度を水銀の析出温度よりも高くして、常に不飽和動作方式を維持することにより、発光管部の内部空間における水銀の析出を回避する。これにより、アークジャンプの発生を回避するとともに、高圧放電ランプの長寿命化を図り、また、投影した画像に欠陥や乱れが生じることも回避することができた。
【図面の簡単な説明】
【００１８】
【図１】本発明が適用された点灯回路の一例（実施例１）を示す回路図である。
【図２】一般的な高圧放電ランプの一例を示す図である。
【図３】画像コンテンツの輝度パラメータに基づいて高圧放電ランプに供給する電力を変化させた場合の一例を示すグラフである。
【図４】本発明が適用された点灯回路の他の例（実施例２）を示す回路図である。
【発明を実施するための形態】
【００１９】
以下、高圧放電ランプＸを点灯させる、本発明が適用された点灯回路１０の実施例について、図面を用いて説明する。図１に示すように、点灯回路１０は、大略、電力供給回路１２と、点灯状態分析手段１４と、冷却手段１６と、輝度パラメータ決定手段１７とで構成されている。
【００２０】
最初に、高圧放電ランプＸについて簡単に説明する。一般的な高圧放電ランプＸは、図２に示すように、石英ガラスで一体的に形成された発光管部１８と当該発光管部１８から延出する一対の封止部２０とを有しており、発光管部１８内には封止部２０にて密閉された内部空間２２が形成されている。また、各封止部２０内にはモリブデン製の箔２４が埋設されている。さらに、一端が箔２４の一方端部に接続されているとともに他端が内部空間２２に配置されたタングステン製の電極２６と、一端が箔２４の他方端部に接続されているとともに他端が封止部２０から外部へ延出するリード棒２８がそれぞれ設けられている。また、内部空間２２には、所定量の水銀３０およびハロゲン（例えば臭素）が封入されている。
【００２１】
高圧放電ランプＸに設けられた一対のリード棒２８に所定の高電圧を印加すると、発光管部１８の内部空間２２に設けられた一対の電極２６間で開始したグロー放電がアーク放電に移行し、このアークによって蒸発/励起された水銀３０によって光が放射されるようになっている（図２中において参照番号３０が示す黒点は、析出した状態の水銀を示している。）。
【００２２】
図１に戻って、電力供給回路１２は、電源３２から受けた電気を高圧放電ランプＸの点灯に適した電圧および電流に変換した上で、一対のリード線３４を介して当該高圧放電ランプＸに供給するための回路である。この電力供給回路１２による高圧放電ランプＸの点灯方法については、後に詳述する。
【００２３】
点灯状態分析手段１４は、電力供給回路１２による高圧放電ランプＸの点灯状態をリアルタイムに分析し、その結果を電力供給回路１２へ戻す役割を有している。本実施例において、この点灯状態分析手段１４は、大略、一対のリード線３４間に設けられた電圧計３６と、いずれか一方のリード線３４に設けられた電流計３８と、電圧計３６で測定された電圧値Ｖ、および電流計３８で測定された電流値Ａを受けた後、これらの値Ｖ、Ａに基づいて高圧放電ランプＸの点灯状態を分析するとともに、その結果を電力供給回路１２へ送る分析回路４０とで構成されている。なお、分析回路４０と電圧計３６との間は、電圧値送信線４２で連絡されており、分析回路４０と電流計３８との間は、電流値送信線４４で連絡されており、さらに、分析回路４０と電力供給回路１２との間は、分析結果送信線４６で連絡されている。
【００２４】
冷却手段１６は、大略、冷却ファン４８と、冷却ファン制御回路５０とで構成されている。冷却ファン４８は、高圧放電ランプＸの発光管部１８を主に冷却するためのファンであり、冷却ファン制御回路５０によってその回転速度が制御され、その結果、高圧放電ランプＸの冷却度合い（＝冷却熱量）が制御されるようになっている。なお、冷却ファン４８と冷却ファン制御回路５０との間は、ファン制御信号送信線５２で連絡されている。
【００２５】
冷却ファン制御回路５０は、冷却制御信号送信線５４で電力供給回路１２と連絡されており、電力供給回路１２からの冷却制御信号を受けて、冷却ファン４８の制御を行う回路である。
【００２６】
輝度パラメータ決定手段１７は、ノートパソコンやタブレット等の外部装置から提供された画像コンテンツＣに基づいて輝度パラメータＰを決定し、当該輝度パラメータＰを電力供給回路１２へ提供するものである。なお、輝度パラメータ決定手段１７と電力供給回路１２との間は、輝度パラメータ信号送信線５６で連絡されている。
【００２７】
次に、本実施例の点灯回路１０を用いた高圧放電ランプＸの点灯制御の一例（実施例１）について説明する。画像コンテンツＣの輝度パラメータＰに基づき、高圧放電ランプＸに供給する電力を変化させた場合の一例として、図３のようなグラフを挙げることができる。冷却ファン４８による冷却熱量（冷却ファン４８の回転数にほぼ比例する）は、高圧放電ランプＸに供給する電力が予め設定された最大電力Ｗｍａｘの場合であっても発光管部１８の温度が過度に高くならないように予め設定されており、冷却ファン４８は、設定された冷却熱量を達成できる回転数で基本的に動作している。
【００２８】
また、図３における水平の破線は、上述のように冷却ファン４８の回転数を設定したときにおいて、その回転数のままでは、発光管部１８の内部空間２２の温度が水銀３０の析出温度になる電力Ｗａｖを示している。したがって、電力Ｗａｖ以下の供給電力では、発光管部１８の内部空間２２に水銀３０が析出するおそれがある。そこで、後述するように、高圧放電ランプＸに供給する電力がこの電力Ｗａｖ以下になる場合、冷却ファン４８の回転数を低くして、冷却熱量を減少させるようになっている。電力Ｗａｖの値は、冷却ファン４８の回転数設定等によって変動するが、少なくとも、最低供給電力値よりも大きければよい。換言すれば、少なくとも最低供給電力値のときに冷却熱量を減少させるようにすればよい。
【００２９】
最初に、比較的明るい画像コンテンツＣを受けた輝度パラメータ決定手段１７が当該画像コンテンツＣに基づき、電力Ｗａｖよりも高い電力Ｗ１で高圧放電ランプＸを点灯させるべきことを決定した場合について説明する。電力Ｗ１で高圧放電ランプＸを点灯させるべきことを決定した輝度パラメータ決定手段１７は、輝度パラメータ信号送信線５６を介して、電力Ｗ１を促す輝度パラメータ信号ＰＷ１を電力供給回路１２へ送信する。
【００３０】
電力Ｗ１を促す輝度パラメータ信号ＰＷ１を受けた電力供給回路１２は、一対のリード線３４を介して、高圧放電ランプＸに電力Ｗ１を供給する。一般に、高圧放電ランプＸに印加する電圧は、当該高圧放電ランプＸのアーク放電を維持するため、一対の電極２６間距離によって決まる。したがって、電力供給回路１２は、高圧放電ランプＸに流れる電流値Ａを主に制御することになる。
【００３１】
高圧放電ランプＸに供給された電力Ｗ１の一部は、蒸発した水銀３０を励起して発光させるためのエネルギーとして使用され、残りのエネルギーの大部分は、熱エネルギーとして放散される。この熱エネルギーの一部は、水銀３０が蒸発した状態を維持するように、発光管部１８の内部空間２２の温度が水銀３０の析出温度（＝蒸発温度）よりも高い状態を維持するために利用される。一方、熱エネルギーの残部は、発光管部１８の過熱につながることから、冷却ファン４８によって強制冷却される。
【００３２】
上述のように、電力Ｗａｖよりも高い電力Ｗ１において、冷却ファン４８による冷却熱量は予め設定されており、発光管部１８の内部空間２２の温度が水銀３０の析出よりも高い状態が維持されることにより、水銀３０が析出することのない点灯を維持することができる。
【００３３】
もちろん、電力Ｗａｖよりも高い電力領域において、供給する電力の大きさに応じて、冷却ファン４８による冷却熱量を変化させてもよい。
【００３４】
この場合、電力Ｗ１において発光管部１８の内部空間２２の温度が適切になるような冷却熱量（＝回転数）を予め設定し、冷却ファン４８がそのような強制冷却を行うように動作する設定を冷却ファン制御回路５０に記憶させておくことになる。
【００３５】
ところで、電力Ｗ１に応じた冷却熱量で点灯を続けているときであっても、様々な要因により、現実的に発光管部１８の内部空間２２の温度は変動する。そこで、このような変動に対し、冷却ファン４８による冷却熱量をある程度追従させるため、本実施例の点灯回路１０には、点灯状態分析手段１４が設けられている。
【００３６】
点灯状態分析手段１４の動作について説明すると、高圧放電ランプＸに供給される電圧値Ｖおよび電流値Ａは、電圧計３６および電流計３８からそれぞれ分析回路４０にリアルタイムで送られる。これら電圧値Ｖおよび電流値Ａを受けた分析回路４０は、両値の動き（トレンド）を監視する。同じ電力を高圧放電ランプＸに供給している場合であっても、電極間距離（＝アーク長さ）が長くなっていると発光管部１８の内部空間２２の温度は予め設定した温度よりも高くなる傾向にあり、このとき、高圧放電ランプＸに供給される電圧値Ｖは予め設定した値よりも高く、逆に、供給される電流値Ａは低くなっている。トレンドからこのような状態（＝内部空間２２の温度が予め設定した温度よりも高い）が確認された場合、分析回路４０は、分析結果送信線４６を介して、電力供給回路１２に対して内部空間２２の温度が高い旨の信号ＳＨを送信する。そのような信号ＳＨを受けた電力供給回路１２は、冷却制御信号送信線５４を介して、冷却ファン制御回路５０に対して冷却熱量を増加させる旨の信号を送信する。そのような信号を受けた冷却ファン制御回路５０は、冷却ファン４８による冷却熱量を増加させる（具体的には、冷却ファン４８の回転数を大きくする。）。
【００３７】
一方、同じ電力を供給しているにもかかわらず、電圧値Ｖが予め設定した値よりも低く、逆に、電流値Ａが予め設定した値よりも高い場合は、電極間距離が短くなっており、高圧放電ランプＸの発光管部１８の内部空間２２の温度は予め設定した温度よりも低くなっている。この場合、分析回路４０は、電力供給回路１２に対して内部空間２２の温度が低下している旨の信号ＳＬを送信する。電力供給回路１２から冷却熱量を減少させる旨の信号を受けた冷却ファン制御回路５０は、冷却ファン４８による冷却熱量を減少させる（具体的には、冷却ファン４８の回転数を小さくする）。
【００３８】
このように点灯状態分析手段１４を用いることにより、電力Ｗ１における、高圧放電ランプＸの発光管部１８内の温度変動を極力抑えて、予め設定した温度を維持し易くすることができる。なお、一般に、高圧放電ランプＸに供給する電流値Ａは、供給すべき電力と、リアルタイムの電圧値Ｖとに基づいて決定される（電流値Ａは成り行き）ので、供給する電力と電圧値Ｖとの関係を監視して冷却ファン４８による冷却熱量を増減させてもよい。
【００３９】
次に、上述したように比較的高い電力Ｗ１で高圧放電ランプＸを点灯させている状態から、比較的暗い画像コンテンツＣを受けた輝度パラメータ決定手段１７が当該画像コンテンツＣに基づいて、電力Ｗａｖ以下の電力Ｗ２で高圧放電ランプＸを点灯させるべきことを決定した場合について説明する。
【００４０】
電力Ｗ２で高圧放電ランプＸを点灯させるべきことを決定した輝度パラメータ決定手段１７は、輝度パラメータ信号送信線５６を介して、電力Ｗ２を促す輝度パラメータ信号ＰＷ２を電力供給回路１２へ送信する。そして、電力Ｗ２を促す輝度パラメータ信号ＰＷ２を受けた電力供給回路１２は、一対のリード線３４を介して、高圧放電ランプＸに電力Ｗ２を供給する（主として、高圧放電ランプＸに流れる電流値Ａを低減することになる。）。
【００４１】
高圧放電ランプＸに供給する電力を電力Ｗａｖ以下に低減すると、発光量が低下するとともに、放散される熱エネルギーも低下することから、最大電力Ｗｍａｘに基づいて設定された冷却熱量では、発光管部１８の内部空間２２の温度が下がりすぎて水銀３０の析出温度以下になり、蒸発していた水銀３０が析出することになる。水銀３０が析出すると、アークジャンプが生じるとともに、高圧放電ランプＸの寿命が短くなるおそれがある。また、高圧放電ランプＸを適用したプロジェクターから投影した画像に著しい欠損が生じたり、析出した水銀３０が大きくなる過程で当該水銀３０が発光管部１８内のより低い位置に向かって動くことにより、投影する画像に乱れが生じたりするおそれがある。さらに言えば、水銀３０の析出状態が長時間続くと、発光管部１８の内壁の著しい黒化につながり、プロジェクター用の光源として求められる光量を放射できなくなるおそれもある。
【００４２】
このため、電力供給回路１２は、電力Ｗ２に切り替えると同時に、冷却制御信号送信線５４を介して冷却ファン制御回路５０に冷却熱量の低減指示を出し、これを受けた冷却ファン制御回路５０が冷却ファン４８を所定の回転数まで低下させる。電力Ｗ２における冷却ファン４８の回転数は、高圧放電ランプＸに供給する電力が最小電力Ｗｍｉｎの場合であっても高圧放電ランプＸにおける発光管部１８の内部空間２２が水銀３０の析出温度よりも高い温度を維持できる範囲で予め設定されている。つまり、電力Ｗａｖ以下の電力が高圧放電ランプＸに供給される場合、冷却ファン４８は同じ回転数で回転することになる。これにより、電力Ｗａｖ以下になった場合であっても、内部空間２２の温度が水銀３０の析出温度以下に低下するのを回避することができる。
【００４３】
また、電力Ｗａｖ以下の供給電力において予め設定した冷却熱量で点灯を続けているときであっても、様々な要因により、内部空間２２の温度は変動する。電力Ｗａｖ以下の供給電力においても、上述のように点灯状態分析手段１４が動作して冷却ファン４８による冷却熱量を変動させ、内部空間２２が水銀３０の析出温度よりも高い温度を維持できるようになっている。
【００４４】
もちろん、供給電力が電力Ｗａｖ以下である場合においても、供給する電力の大きさに応じて、冷却ファン４８による冷却熱量を変化させることができる。
【００４５】
画像コンテンツＣを受けた輝度パラメータ決定手段１７が当該画像コンテンツＣに基づいて、再び、電力Ｗａｖよりも大きい電力Ｗ４を供給するように決定した場合、電力供給回路１２は、冷却ファン制御回路５０を介して冷却ファン４８による強制冷却熱量を増加させる。これにより、供給電力が増加したことで放散される熱エネルギーが増加して発光管部１８が過度に高温になるのを回避することができる。
【００４６】
本実施例の点灯回路１０によれば、高圧放電ランプＸに供給する電力が最も低くなったときにおける、発光管部１８の内部空間２２の温度を水銀３０の析出温度よりも高くして、常に不飽和動作方式を維持しているので、高圧放電ランプＸの動作期間中に、発光管の内壁における水銀３０の析出が回避される。これにより、アークジャンプの発生を回避できるとともに長寿命化が期待でき、また、投影した画像に欠陥や乱れが生じることも回避することができる。
【００４７】
（実施例２）
上述の実施例１では、冷却ファン４８の回転数を変えることによって高圧放電ランプＸの冷却熱量を変えていたが、図４に示すように、内部空間２２を加熱するヒータ５８をさらに設置するとともに、冷却ファン制御回路５０に代えてヒータ制御回路６０でヒータ５８による加熱量を制御してもよい。なお、その他の構成は実施例１と同様である（ただし、冷却制御信号送信線５４は、加熱制御信号送信線５４と読み替える。）。
【００４８】
この実施例２の場合、冷却ファン４８は、高圧放電ランプＸに供給する電力の変化、さらには外的要因による内部空間２２の温度変動にかかわらず、一定の回転数を維持している。つまり、冷却ファン４８による冷却熱量は基本的にほぼ一定である。また、冷却ファン４８による冷却熱量は、仮にヒータ５８からの加熱がなければ、少なくとも電力Ｗａｖ以下の供給電力において発光管部１８の内部空間２２の温度が水銀３０の析出温度以下になる程度に設定されている。
【００４９】
画像コンテンツＣを受けた輝度パラメータ決定手段１７が、当該画像コンテンツＣに基づき、電力Ｗａｖより大きい電力Ｗ１から電力Ｗａｖ以下のＷ２に変化させた場合、高圧放電ランプＸから放散される熱エネルギーの量が低下する。これに対し、電力供給回路１２から、電力Ｗａｖ以下のＷ２になる旨の信号を受けたヒータ制御回路６０が、ヒータ５８による高圧放電ランプＸへの加熱量を増加することにより、電力Ｗａｖ以下において高圧放電ランプＸの発光管部１８の内部空間２２が水銀３０の析出温度以下になるのを回避できる。もちろん、ヒータ５８による加熱量は、電力Ｗａｖを境にして、電力Ｗａｖよりも大きい場合と、電力Ｗａｖ以下の場合とでそれぞれ一定にしてもよいし、供給電力に応じて変化するようにしてもよい。また、ヒータ５８による加熱量は、点灯状態分析手段１４からの直接的、あるいは、電力供給回路１２を介しての間接的な指示によって調節される。
【００５０】
また、画像コンテンツＣを受けた輝度パラメータ決定手段１７が当該画像コンテンツＣに基づいて、再び、電力Ｗａｖ以下のＷ３から電力Ｗａｖより大きい電力Ｗ４に変化させた場合、電力供給回路１２は、ヒータ制御回路６０を介してヒータ５８による加熱量を減少させる。これにより、電力Ｗａｖより大きい電力Ｗ４に戻ったことで放散される熱エネルギーが増加して発光管部１８が過度に高温になるのを回避することができる。
【００５１】
なお、上記２つの実施例において、電力Ｗａｖ以下の電力Ｗ３から電力Ｗａｖより大きい電力Ｗ４に変化させる場合、電力Ｗ４への変化が始まってから所定の時間が経過するまでは、高圧放電ランプＸに与える電力以外の設定を直前の電力Ｗａｖ以下のＷ３のままで維持するようにしてもよい。
【００５２】
高圧放電ランプＸの発光管部１８における内部空間２２の温度を変化させる早さは、冷却ファン４８やヒータ５８に比べて、高圧放電ランプＸに供給される電力の方が早い。つまり、高圧放電ランプＸに供給される電力の電力Ｗ３から電力Ｗ４への変化が始まると、内部空間２２の温度は直ちに上昇しようとする。これに対して、冷却ファン４８やヒータ５８の動作を直ちに変化させれば、内部空間２２の温度は比較的緩やかに上昇する。しかしながら、冷却ファン４８やヒータ５８の動作変化の開始をあえて遅らせることにより、内部空間２２の温度を意図的に急上昇させることができる。
【００５３】
一般に、発光管部１８の内部空間２２の温度と発光量との間には正の相関関係がある。つまり、内部空間２２の温度が上昇すると、発光量も増加する。このため、冷却ファン４８やヒータ５８の動作変化の開始をあえて遅らせることにより、内部空間２２の温度上昇が早まり、発光量の増加を早めることができる。電力Ｗ３から電力Ｗ４に変化する状況とは、画像コンテンツＣがより明るさを要求している状況に他ならないことから、冷却ファン４８やヒータ５８の動作変化の開始をあえて遅らせることは、この明るさの要求に対する追従性を高めることができる点で好適である、
【００５４】
もちろん、これとは逆に、電力Ｗ１から電力Ｗ２に変化させる場合も、電力Ｗ２への変化が始まってから所定の時間が経過するまでは、高圧放電ランプＸに与える電力以外の設定を直前の電力Ｗ１のままで維持するようにしてもよい。このように冷却ファン４８やヒータ５８の動作変化の開始をあえて遅らせることにより、内部空間２２の温度を意図的に急減少させることができ、発光量の減少を早めることができる。電力Ｗ１から電力Ｗ２に変化する状況とは、画像コンテンツＣが暗い画面を要求している状況に他ならないことから、冷却ファン４８やヒータ５８の動作変化の開始をあえて遅らせることは、この暗い画面の要求に対する追従性を高めることができる点で好適である。
【００５５】
（実施例３）
上記２つの実施例では、高圧放電ランプＸに供給される電力の変化に応じて、冷却ファン４８による冷却熱量あるいはヒータ５８による加熱量を変化させている。しかしながら、これに代えて、冷却ファン４８による冷却量やヒータ５８による加熱量を変化させることなく、最小電力Ｗｍｉｎにおける発光管部１８の内部空間２２の温度が水銀３０の析出温度よりも高くなるように、最小電力Ｗｍｉｎの値、冷却ファン４８による冷却量、あるいは、ヒータ５８による加熱量をより高く設定してもよい。ただし、最大電力Ｗｍａｘのときに発光管部１８の温度が石英ガラスの徐冷点（約１，２００℃）に達しないように注意する必要がある。なお、この場合、冷却ファン制御回路５０やヒータ制御回路６０は不要になる。
【符号の説明】
【００５６】
１０…点灯回路、１２…電力供給回路、１４…点灯状態分析手段、１６…冷却手段、１７…輝度パラメータ決定手段、１８…発光管部、２０…封止部、２２…内部空間、２４…箔、２６…電極、２８…リード棒、３０…水銀、３２…電源、３４…リード線、３６…電圧計、３８…電流計、４０…分析回路、４２…電圧値送信線、４４…電流値送信線、４６…分析結果送信線、４８…冷却ファン、５０…冷却ファン制御回路、５２…ファン制御信号送信線、５４…冷却制御信号送信線、５６…輝度パラメータ信号送信線、５８…ヒータ、６０…ヒータ制御回路、Ｘ…高圧放電ランプ、Ｃ…画像コンテンツ、Ｐ…輝度パラメータ
【図１】
0006043268.tif 000002
【図２】
0006043268.tif 000003
【図３】
0006043268.tif 000004
【図４】
0006043268.tif 000005